(57)【要約】【課題】子供のいたずらによるバックル装置に設けられているリリースボタンの押圧を防止することができる器具の提供。【解決手段】  搭乗者の身体を拘束するシートベルトに取り付けられた係止金具と、当該係止金具を保持するとともにリリースボタンの操作によって保持状態を解除するバックル装置とから構成された車載シートベルト装置に用いるバックルカバーであって、前記リリースボタンを少なくとも覆うことによりシートベルト装着者の手指による前記リリースボタンの操作を阻害する覆い部を有し、前記覆い部に直径または全幅が概ね１ｃｍ以下の穴を前記バックル装置が備えるリリースボタンに対向して配置し、当該覆い部に配置した穴を介して前記リリースボタンの操作が行えるように構成したことを特徴とする。【選択図】図１
2010207256.tif 000002
【特許請求の範囲】
【請求項１】
搭乗者の身体を拘束するシートベルトに取り付けられた係止金具と、当該係止金具を保持するとともにリリースボタンの操作によって保持状態を解除するバックル装置とから構成された車載シートベルト装置に用いる器具であって、
前記リリースボタンを少なくとも覆うことによりシートベルト装着者の手指による前記リリースボタンの操作を阻害する覆い部を有し、
前記覆い部に直径または全幅が概ね１ｃｍ以下の穴を前記バックル装置が備えるリリースボタンに対向して配置し、当該覆い部に配置した穴を介して前記リリースボタンの操作が行えるように構成したことを特徴とするバックルカバー。
【請求項２】
前記バックルカバーは、前記バックル装置全体を収容する収容部を有するとともに、前記係止金具を挿通させる挿通部を有していることを特徴とする請求項１記載のバックルカバー。
【請求項３】
前記挿通部が長穴であることを特徴とする請求項２記載のバックルカバー。
【請求項４】
前記リリースボタンの操作を阻害する覆い部には、当該覆い部に加えられた力によって破壊可能な脆弱部が設けられており、当該脆弱部の破壊によって当該覆い部の除去若しくは前記リリースボタンの操作を可能としたことを特徴とする請求項１記載のバックルカバー。
【発明の詳細な説明】
【技術分野】
【０００１】
本発明は、車載されているシートベルトのバックル部を覆うバックルカバーに関するものである。
【背景技術】
【０００２】
車載されているシートベルトは、着座シートの近傍に設けられたバックル装置に、長さ調節を可能としたベルトに設けた金具を結合させ、当該ベルトによって身体を拘束するようにしたものである。そして、前記バックル装置に結合したベルトの解放は、前記バックル装置に設けられているリリースボタンを押すことによって行われるようになっている（特許文献１参照）。
【先行技術文献】
【特許文献】
【０００３】
【特許文献１】特開２００８−１４９７４１号公報
【発明の概要】
【発明が解決しようとする課題】
【０００４】
しかし、上記のような従来のシートベルトは、大人の健常者による使用を前提としたものであるから、バックル装置に締結されていたシートベルトがいたずらによって開放（リリース）されることを想定した構造にはなっていない。したがって、車両の走行中にシートベルトのリリースボタンがいたずらによって押されるとシートベルトが外れてしまうことになり、このシートベルトが外れた状態のまま走行を行うことになり危険である。
本発明は、当該課題に鑑み発明したものであって、痴呆症患者や知的障害者若しくは子供がいたずら等によってバックル装置に設けられているリリースボタンを押圧するのを防止することができる器具の提供を課題とするものである。
【課題を解決するための手段】
【０００５】
上記課題を解決するために、本発明は以下の構成を有することを特徴とするものである。すなわち、
搭乗者の身体を拘束するシートベルトに取り付けられた係止金具と、当該係止金具を保持するとともにリリースボタンの操作によって保持状態を解除するバックル装置とから構成された車載シートベルト装置に用いるバックルカバーであって、
前記リリースボタンを少なくとも覆うことによりシートベルト装着者の手指による前記リリースボタンの操作を阻害する覆い部を有し、
前記覆い部に直径または全幅が概ね１ｃｍ以下の穴を前記バックル装置が備えるリリースボタンに対向して配置し、当該覆い部に配置した穴を介して前記リリースボタンの操作が行えるように構成したことを特徴とする。
【０００６】
また、本発明は請求項１記載のバックルカバーにおいて、
前記バックルカバーは、前記バックル装置全体を収容する収容部を有するとともに、前記係止金具を挿通させる挿通部を有していることを特徴とする。
【０００７】
また、本発明は請求項２記載のバックルカバーにおいて、前記挿通部が長穴であることを特徴とする。
【０００８】
また、本発明は請求項１記載のバックルカバーにおいて、
前記リリースボタンの操作を阻害する覆い部には、当該覆い部に加えられた力によって破壊可能な脆弱部が設けられており、当該脆弱部の破壊によって当該覆い部の除去若しくは前記リリースボタンの操作を可能としたことを特徴とする。
【発明の効果】
【０００９】
本発明に係るバックルカバーは、車載されているシートベルトのバックル装置に装着することによって、リリースボタンに対する操作を阻害するようになっている。したがって、当該バックルカバーの装着によって、リリースボタンに対する子供のいたずらを防止し、不用意なシートベルトの装着解除を防止することができるという効果を有している。
また、バックルカバーは、バックル装置に覆い被せることができるような形状にすることで、バックル装置に対して簡単に装着することができるという効果を有している。
さらに、大人の力で破壊することができる脆弱部を設け、当該脆弱部の破壊によってリリースボタンの操作を可能とすることで、事故発生時等の緊急時の場合であっても特殊な用具を要することなくシートベルトの装着を解除することができるという効果を有している。
【図面の簡単な説明】
【００１０】
【図１】本発明に係るバックルカバーの説明図である。
【図２】本発明に係るバックルカバーを装着するバックル装置の一例を表した説明図である。
【図３】本発明に係るバックルカバーの装着状態を表した説明図である。
【図４】本発明に係るバックルカバーの装着状態を表した説明図である。
【図５】本発明に係るバックルカバーの動作の一例を表した説明図である。
【図６】本発明に係るバックルカバーの他の例を表した説明図である。
【発明を実施するための形態】
【００１１】
以下、発明を実施するための形態について説明する。図１は、本発明の一形態であるバックルカバー１の説明図である。図１（ａ）はバックルカバー１の外観斜視図、図１（ｂ）は正面図、図１（ｃ）は側面側から見た状態の中央断面図、図１（ｄ）は平面図を表している。本実施の形態に係るバックルカバー１は、一例としてポリエチレン等の合成樹脂による一体成型物として形成されている。なお、素材については、本発明の趣旨に沿ったものであればポリエチレンに限定されるものではなく、他の素材を用いたものであっても差し支えがない。
【００１２】
バックルカバー１は、１〜３ｍｍ程度の肉厚に形成された外周壁を有する中空の収容部を有したケースとして形成されている。図示したバックルカバー１は、一例として立方体状の外形を有するケース２を有している。当該ケース２は、前面板３、側板４、４、背面板５、天板６から構成されている。当該ケース２に底壁は無く、底面７を介して内外が連通するように構成されている。
ケース２の内部は、車載されているシートベルトの締結部を構成する一般的なバックル装置を収容することができる形状および大きさに形成されており、前記底面７を介してバックル装置を収容部内に収容することができるように形成されている。なお、車種によってシートベルトのバックル形状は異なる場合が多い。この場合、本発明に係るバックルカバーは車種毎に用意されるか、若しくは数種類のバックルカバーを予め用意し、内部に装着するアダプターを用いる等の手段によって各車種に適合させることが出来る。
【００１３】
前記ケース２の天板６には、直径が約８ｍｍ程度の穴８と、細長いスリット状の長穴（挿通部）９が設けられている。当該穴８は、鉛筆状の棒やイグニッションキー等の細長物を挿入するための穴であり、後述するようにケース２内部に収容したバックル装置のリリースボタンを押すことができるようになっているものである。当該穴８は、概ね児童、幼児の指が入らない程度に、直径又は全幅が１ｃｍ以下の円形、楕円形、角形として形成されるものである。
また、長穴９は前記バックル装置に差し込まれる係止金具を差し込む挿通部であり、当該係止金具の差し込まれる部分の形状に合わせた大きさおよび形状に形成されている。また、当該長穴９は、係止金具の差し込みによってケース２をバックルから取り外せないように作用するロック手段にもなっている。
【００１４】
図２は、一般的に車載されているシートベルト用のバックル装置１０と、当該バックル装置１０に締結されるベルト金具１１を表した外観図である。バックル装置１０は、シートの着座部付近に設けられた雌金具であり、雄金具である前記ベルト金具１１の係合板（係止金具）１２を挿入して保持する挿入口１３を有している。当該挿入口１３に挿入された係合板１２は、内部の係止機構によって固定され、リリースボタン１４の押圧によって係止状態が解除されるようになっている。
【００１５】
前記ケース２は、図３に示すようにシートベルトのバックル装置１０に被せるように装着して使用するものである。
ケース２は、バックル装置１０の外形寸法と、その内面形状が概ね一致するように形成された収容部を有するとともに、天板６に前記バックル装置１０の挿入口１３と配置が大凡一致するように長穴９を有している。
そして、バックル装置１０に前記ケース２を被せると、バックル装置１０の挿入口１３とケース２の長穴９の位置がほぼ一致することになり、図４に示すように長穴９を介してベルト金具１１の係合板１２を挿入口１３に挿入することが可能となり、バックル装置１０と締結することができるようになっている。
【００１６】
前記図４に示すように、バックル装置１０にケース２を被せるとバックル装置１０に設けられているリリースボタン１４が覆い隠され、当該リリースボタン１４の操作ができなくなる。これにより、例えばジュニアシートを含むチャイルドシートに着座している子供等が、当該チャイルドシート若しくは自己の身体を拘束しているシートベルトのバックル装置１０を操作しようとしても、バックル装置１０自体がケース２によって覆われており直接触れることができないようになっている。この作用により、例えば運転中にリリースボタン１４が押圧されることを防止し、運転者の予期せぬバックル装置１０とベルト金具１１の解除を防ぐことができるようになっている。
【００１７】
また、前記図４に示した状態のバックル装置１０からベルト金具１１を取り外すには、前記ケース２の天板６に設けた穴８に図３に示すような棒１５若しくはイグニッションキーを差し込んでリリースボタン１４を押圧することで行われる。穴８は、子供の指が入らない程度の大きさに形成されているので、道具類を使わずに穴８を介してリリースボタン１４を押圧することが出来ないようになっている。
なお、前記穴８は、当然ながらバックル装置１０のリリースボタン１４に対応した位置に設けられている。例えば、バックル装置によっては、リリースボタンを上面側から押圧するのではなく正面側から押圧するように形成されたものもある。この場合にはケースの前面板に穴を設け、当該穴を介してリリースボタンを操作するように形成される。このように、本実施の形態に係るケースは、適用するバックル装置の形状に応じて適宜最適な形状を成すように形成されるものである。
【００１８】
以上のように、本発明に係るバックルカバーは、バックル装置にカバーを装着するだけで、子供のいたずらによるシートベルトの不用意な解除を防ぐことが出来るという効果を有するものである。
なお、上記の形態に係るバックルカバーは、バックル装置の外形部分を全て覆う構造となっている。しかし、リリースボタンの操作を阻害する部位が設けられており、かつ簡単に子供等がリリースボタンの操作をすることが出来なければ、バックルカバーの形状は上記の形態に限らない。すなわち、リリースボタンを覆う覆い部を有し、当該覆い部に直径または全幅が概ね１ｃｍ以下の穴をバックル装置が備えるリリースボタンに対向して配置し、当該覆い部に配置した穴を介して前記リリースボタンの操作が行える形態であれば、上記の形態にかかわらず本発明の技術的範囲に属するものである。
【実施例１】
【００１９】
また、本発明に係るバックルカバーは、一例として次のように構成することができる。すなわち、当該実施例に係る構成は、前面板３と左右の側板４、４との境界部分に、一部分（後述する連結部１７）を除いて両者を分離するスリット１６、１６を設けたものとなっている。当該スリット１６、１６は、中央の僅かな部分（連結部１７）を除き、前面板３の下端から上端に亘って形成され、さらに天板６の略中央付近まで連続して設けられている。
そして、当該天板６の裏面には、前記スリット１６、１６の端縁部付近を結ぶように設けられた薄肉部１８が設けられている。当該薄肉部１８は、天板６の裏面に左右方向に亘って設けたＶ型の溝によって形成されたものである。
【００２０】
また、前面板３の正面下方には、手指を掛けることができる程度の取っ手穴１９が設けられている。
上記構成のバックルカバーは、取っ手穴１９に指をかけて手前に強く引くと、前記連結部１７が破壊され、前記薄肉部１８をヒンジとして前面板３と天板６の略半分までの領域（リリースボタンを覆う覆い部）が手前側に回動若しくは薄肉部１８から切り離されるように構成されている。これは、緊急時にシートベルトの締結を解除しなければならない状況に陥った場合に、前述した穴８を使用することなく、リリースボタンを覆う覆い部を取り除きバックル装置のリリースボタンの操作を可能にするものである。
【００２１】
なお、上記実施例では連結部１７を破壊可能な脆弱部として形成したものであるが、当該連結部１７を繰り返し係合・離脱が可能なプランジャー、スナップ機構、その他のファスナー手段によって構成しても差し支えがない。本発明は子供のいたずらを防止することを目的としたものである。したがって、前記繰り返し係脱可能となる連結部は、着座した子供の力やその体勢からでは容易に解除されないような強度に設定されるのが望ましい。
【実施例２】
【００２２】
また、上記実施例は、前面板３の正面下方に手指を掛ける取っ手穴１９を設けたものであった。これに対して図６に示したバックルカバー１００は、前記取っ手穴に代えて、前面板の下端縁に切り欠き１０１を設けたものである。当該切り欠き１０１は、大人が指をかけることができる程度の凹みとして形成されており、前記取っ手穴１９よりもシートベルト着用者から手の届きにくい遠い位置に設けられている。これによって、前記取っ手穴１９よりもシートベルト着用者による操作が行いにくくなり、シートベルト着用者による切り欠き１０１への指かけを防止しやすくなっている。
なお、図６に示したバックルカバー１００は、取っ手穴１９に代えて下端縁に切り欠き１０１を設けた点を除き、前述したバックルカバーと同一の構成であるので、当該同一の構成部分については説明を省略する。
【産業上の利用可能性】
【００２３】
本発明は、身体やチャイルドシートを拘束しているシートベルトのバックル装置に対する子供のいたずらを防止することが出来る器具に利用可能である。
【符号の説明】
【００２４】
１  バックルカバー
２  ケース
３  前面板
４  側板
５  背面板
６  天板
７  底面
８  穴
９  長穴
１０  バックル装置
１１  ベルト金具
１２  係合板（係止金具）
１３  挿入口
１４  リリースボタン
１５  棒
１６  スリット
１７  連結部
１８  薄肉部
１９  取っ手穴
【図１】
2010207256.tif 000003
【図２】
2010207256.tif 000004
【図３】
2010207256.tif 000005
【図４】
2010207256.tif 000006
【図５】
2010207256.tif 000007
【図６】
2010207256.tif 000008